(57)【特許請求の範囲】
【請求項１】
隣り合う鉛直部材間に架け渡される制震ダンパーを組み込んだ短スパンの境界梁ダンパーであって、
隣り合う前記鉛直部材の側部には互いに対向するように鉄筋コンクリートより構成されるブラケットが配置され、
該ブラケットの上部及び下部で前記鉛直部材に直交する方向に各々配置され、ブラケットの主筋をなす複数の梁鉄筋が、隣り合う前記鉛直部材間のスパンより部材長が長く、対をなす前記ブラケットどうしを連結するように配設されて、その両端部が前記鉛直部材内に埋設されることを特徴とする境界梁ダンパー。
【請求項２】
請求項１記載の境界梁ダンパーにおいて、前記梁鉄筋には頭部付き鉄筋が用いられることを特徴とする境界梁ダンパー。
【請求項３】
隣り合う鉛直部材間に架け渡される制震ダンパーを組み込んだ短スパンの境界梁ダンパーであって、
隣り合う前記鉛直部材の側部には、互いに対向するように鉄筋コンクリートより構成されるブラケットが配置され、該ブラケットの主筋がブラケットの上部及び下部に配されるとともに、該主筋の鉛直部材側の端部が鉛直部材内に埋設されて、ブラケットの向かい合う端面にはブラケットどうしを連結するように制震ダンパーが設けられて、
該制震ダンパーは、上下フランジよりも降伏点の低い鋼材をウェブに用いたＨ形鋼と、
該Ｈ形鋼の両側端部に一方の面を接合された対をなす鋼板と、
該対をなす鋼板の他方の面の中央部に複数固定されたスタッドジベルと、より構成され、
前記ブラケットの端面に前記鋼板の他方の面が面同士で接合されるとともに、前記ブラケットの主筋の一方の端部が鋼板の他方の面に固着されて、前記主筋の他方の端部が、前記鉛直部材内に達していることを特徴とする境界梁ダンパー。
【請求項４】
請求項３記載の境界梁ダンパーにおいて、
前記制震ダンパーには、前記Ｈ形鋼、前記スタッドジベルに代わって、複数の短鉄筋が用いられ、
該短鉄筋は、対向する前記ブラケット同士を連結するように複数本が平行に配列されて、その端部がブラケット内に埋設されることを特徴とする境界梁ダンパー。
【請求項５】
請求項３記載の境界梁ダンパーにおいて、
前記制震ダンパーには、前記Ｈ形鋼、前記スタッドジベルに代わって、軟鋼よりなる鋼板パネルと、
該鋼板パネルの両側端部に一方の面を接合された対をなす鋼板と、
該鋼板の他方の面の端部で前記鋼板パネルと平行な面を形成するように設けられた対をなす連結板と、より構成されるパネルダンパーが用いられ、
該パネルダンパーの対をなす連結板が、前記ブラケットの両側面を挟み込むように配置されて、該連結板及び前記ブラケットの両側面を貫通するボルトにより緊結されることを特徴とする境界梁ダンパー。
【請求項６】
請求項３記載の境界梁ダンパーにおいて、
前記制震ダンパーには、前記Ｈ形鋼、前記鋼板及び前記スタッドジベルに代わって、隣り合う鉛直部材同士を連結する方向に中心軸を向けた鋼管と、
該鋼管の内周面に沿うように複数配置されてその両端部が鋼管より突出する鋼管内鉄筋と、
前記鋼管の中空部を埋設するコンクリートと、より構成される鋼管コンクリートダンパーが用いられ、
前記鋼管内鉄筋の端部が前記ブラケット内に埋め込まれるとともに、前記鋼管の両端部が、各々前記ブラケットの端面に面同士で接合されることを特徴とする境界梁ダンパー。
【請求項７】
請求項３記載の境界梁ダンパーにおいて、
前記制震ダンパーには、前記Ｈ形鋼、前記スタッドジベルに代わって、向かい合うように平行に配置された一方の鋼板、及び他方の鋼板と、
該一方の鋼板の一方の面に対して面が直交するように固定された固定プレートと、
該固定プレートを介して略中央部を一方の鋼板に固定される円筒管と、
該円筒管の端部を各々覆うように一方の端部近傍の面が固定された対をなす捻りプレートと、
該対をなす捻りプレートの他方の端部近傍同士を連結する鋼棒と、
該鋼棒を前記他方の鋼板の一方の面に係止する係止部材と、より構成される捻りダンパーが用いられ、
該捩りダンパーを構成する一方の鋼板及び他方の鋼板の各々の他方の面が、前記ブラケットの端面に面同士で接合されるとともに、一方の鋼板及び他方の鋼板の各々の他方の面には該複数の鉄筋がその端部を固定され、該鉄筋が、前記ブラケット内に埋め込まれていることを特徴とする境界梁ダンパー。
【請求項８】
請求項３記載の境界梁ダンパーにおいて、
前記制震ダンパーには、前記Ｈ形鋼、前記スタッドジベルに代わって、前記ブラケットの端面に他方の面を固定された対をなす鋼板と、
該鋼板に一定の間隔をあけて平行となるように一方の端部を固定されて、面を鉛直軸に直交する方向に向けた対をなす側部プレートと、
該対をなす側部プレート間に両側端部が各々挟まれるように配置された連結プレートと、
該連結プレートと前記側部プレートを連結する複数のコイルバネと、より構成されるコイルバネダンパーが用いられ、
該コイルバネダンパーを構成する対をなす鋼板の他方の面には、複数の鉄筋がその端部を固定されるとともに、該鉄筋が、前記ブラケット内に埋め込まれていることを特徴とする境界梁ダンパー。
【請求項９】
請求項３から８のいずれかに記載の境界梁ダンパーにおいて、前記ブラケットの主筋には、頭部付き鉄筋が用いられることを特徴とする境界梁ダンパー。
【発明の詳細な説明】
【０００１】
【発明の属する技術分野】
本発明は、建築物内の空間を阻害することなく、合理的にＲＣ造構造物における振動を抑制することの可能な境界梁ダンパーに関する。
【０００２】
【従来の技術】
現在、超高層ＲＣ集合住宅は、高品質化のために天井を高く、しかも天井から梁型を出さない構造とすることが一般的になりつつある。階高を抑えつつ、天井高を確保するためには、梁成を小さく抑える必要がある。
【０００３】
その解決策の一つとして、ＲＣコアウォールを用いた構造が一般に採用されている。ＲＣコアウォールの採用は、建物の耐震性能を高めるとともに、ＲＣコアウォールに境界梁タイプの制震ダンパーを組み込むことで、建物のエネルギー吸収能力を向上させるといった効果をもたらすものである。
【０００４】
【発明が解決しようとする課題】
しかし、このようなＲＣコアウォールに境界梁タイプの制震ダンパーを組み込むといった手法は、施工が困難であるとともに、コスト高となる場合が多い。
【０００５】
上記事情に鑑み、本発明は、ローコストで施工性がよく、建築物内の空間を阻害することなく、合理的にＲＣ造構造物における振動を抑制することの可能な境界梁ダンパーを提供することを目的としている。
【０００６】
【課題を解決するための手段】
請求項１記載の境界梁ダンパーは、隣り合う鉛直部材間に架け渡される制震ダンパーを組み込んだ短スパンの境界梁ダンパーであって、隣り合う前記鉛直部材の側部には互いに対向するように鉄筋コンクリートより構成されるブラケットが配置され、該ブラケットの上部及び下部で前記鉛直部材に直交する方向に各々配置され、ブラケットの主筋をなす複数の梁鉄筋が、隣り合う前記鉛直部材間のスパンより部材長が長く、対をなす前記ブラケットどうしを連結するように配設されて、その両端部が前記鉛直部材内に埋設されることを特徴としている。
【０００７】
請求項２記載の境界梁ダンパーは、前記梁鉄筋には頭部付き鉄筋が用いられることを特徴としている。
【０００８】
請求項３記載の境界梁ダンパーは、隣り合う鉛直部材間に架け渡される制震ダンパーを組み込んだ短スパンの境界梁ダンパーであって、隣り合う前記鉛直部材の側部には、互いに対向するように鉄筋コンクリートより構成されるブラケットが配置され、該ブラケットの主筋がブラケットの上部及び下部に配されるとともに、該主筋の鉛直部材側の端部が鉛直部材内に埋設されて、ブラケットの向かい合う端面にはブラケットどうしを連結するように制震ダンパーが設けられて、該制震ダンパーは、上下フランジよりも降伏点の低い鋼材をウェブに用いたＨ形鋼と、該Ｈ形鋼の両側端部に一方の面を接合された対をなす鋼板と、該対をなす鋼板の他方の面の中央部に複数固定されたスタッドジベルと、より構成され、前記ブラケットの端面に前記鋼板の他方の面が面同士で接合されるとともに、前記ブラケットの主筋の一方の端部が鋼板の他方の面に固着されて、前記主筋の他方の端部が、前記鉛直部材内に達していることを特徴としている。
【０００９】
請求項４記載の境界梁ダンパーは、前記制震ダンパーには、前記Ｈ形鋼、前記スタッドジベルに代わって、複数の短鉄筋が用いられ、該短鉄筋は、対向する前記ブラケット同士を連結するように複数本が平行に配列されて、その端部がブラケット内に埋設されることを特徴としている。
【００１０】
請求項５記載の境界梁ダンパーは、前記制震ダンパーには、前記Ｈ形鋼、前記スタッドジベルに代わって、軟鋼よりなる鋼板パネルと、該鋼板パネルの両側端部に一方の面を接合された対をなす鋼板と、該鋼板の他方の面の端部で前記鋼板パネルと平行な面を形成するように設けられた対をなす連結板と、より構成されるパネルダンパーが用いられ、該パネルダンパーの対をなす連結板が、前記ブラケットの両側面を挟み込むように配置されて、該連結板及び前記ブラケットの両側面を貫通するボルトにより緊結されることを特徴としている。
【００１１】
請求項６記載の境界梁ダンパーは、前記制震ダンパーには、前記Ｈ形鋼、前記鋼板及び前記スタッドジベルに代わって、隣り合う鉛直部材同士を連結する方向に中心軸を向けた鋼管と、該鋼管の内周面に沿うように複数配置されてその両端部が鋼管より突出する鋼管内鉄筋と、前記鋼管の中空部を埋設するコンクリートと、より構成される鋼管コンクリートダンパーが用いられ、前記鋼管内鉄筋の端部が前記ブラケット内に埋め込まれるとともに、前記鋼管の両端部が、各々前記ブラケットの端面に面同士で接合されることを特徴としている。
【００１２】
請求項７記載の境界梁ダンパーは、前記制震ダンパーには、前記Ｈ形鋼、前記スタッドジベルに代わって、向かい合うように平行に配置された一方の鋼板、及び他方の鋼板と、該一方の鋼板の一方の面に対して面が直交するように固定された固定プレートと、該固定プレートを介して略中央部を一方の鋼板に固定される円筒管と、該円筒管の端部を各々覆うように一方の端部近傍の面が固定された対をなす捻りプレートと、該対をなす捻りプレートの他方の端部近傍同士を連結する鋼棒と、該鋼棒を前記他方の鋼板の一方の面に係止する係止部材と、より構成される捻りダンパーが用いられ、該捩りダンパーを構成する一方の鋼板及び他方の鋼板の各々の他方の面が、前記ブラケットの端面に面同士で接合されるとともに、一方の鋼板及び他方の鋼板の各々の他方の面には該複数の鉄筋がその端部を固定され、該鉄筋が、前記ブラケット内に埋め込まれていることを特徴としている。
【００１３】
請求項８記載の境界梁ダンパーは、前記制震ダンパーには、前記Ｈ形鋼、前記スタッドジベルに代わって、前記ブラケットの端面に他方の面を固定された対をなす鋼板と、該鋼板に一定の間隔をあけて平行となるように一方の端部を固定されて、面を鉛直軸に直交する方向に向けた対をなす側部プレートと、該対をなす側部プレート間に両側端部が各々挟まれるように配置された連結プレートと、該連結プレートと前記側部プレートを連結する複数のコイルバネと、より構成されるコイルバネダンパーが用いられ、該コイルバネダンパーを構成する対をなす鋼板の他方の面には、複数の鉄筋がその端部を固定されるとともに、該鉄筋が、前記ブラケット内に埋め込まれていることを特徴としている。
【００１４】
請求項９記載の境界梁ダンパーは、前記ブラケットの主筋には、頭部付き鉄筋が用いられることを特徴としている。
【００１５】
【発明の実施の形態】
以下、本発明に係る境界梁ダンパーの実施形態について、図１ から図７ を用いて説明する。
【００１６】
本発明の境界梁ダンパー１ は、隣り合う鉛直部材間のスパンが短いような部位において、短スパン梁として有効に用いられるものである。設置例としては、ＲＣコアウォール２ を用いた超高層ＲＣ集合住宅において、ＲＣコアウォール２ 同士、ＲＣコアウォール２ と柱、もしくは柱と柱を連結するような短スパン梁として用いている。本実施の形態では、ＲＣコアウォール２ 同士に適用されている場合を例に挙げて詳述する。
【００１７】
ここで、該境界梁ダンパー１ が架け渡されるＲＣコアウォール２ は、鉄筋コンクリート等によりなるもので、境界梁ダンパー１ が設けられる位置には同様に主筋３ ａと、あばら筋３ ｂと、コンクリート３ ｃより構成される鉄筋コンクリートからなるブラケット３ が設けられている。前記主筋３ ａは、該ブラケット３ の上端部及び下端部近傍で、前記ＲＣコアウォール２ に直交する方向を向いているとともに、ブラケット３ の幅方向に複数本平行に配設され、ＲＣコアウォール２ 側の端部はいずれもＲＣコアウォール２ の内部にまで達している。
【００１８】
なお、前記主筋３ ａは、図２ （ａ）に示すようにブラケット３ の上端部及び下端部近傍にそれぞれ個別に配設しても良いが、図４ （ａ）に示すようにブラケット３ の部材高さと略同程度の幅を有するＵ字形に加工された複数本の鉄筋をブラケット３ の幅方向に平行に配設してもよい。
また、前記主筋３ ａに用いられる鉄筋は、その両端部にコブ状の頭部が設けられた頭部付き鉄筋を用いても良い。なお、頭部付き鉄筋における両端部の形状はこれにこだわるものではなく、鉄筋径より断面の大きい部位が両端部に設けられる等、固まったコンクリートの中から抜けにくい端部を有する鉄筋であればよい。
【００１９】
（本発明の第１の実施の形態）
図１ に境界梁ダンパー１ の第１の実施の形態を示す。図１ の境界梁ダンパー１ は、隣り合うＲＣコアウォール２ に設けられたブラケット３ を複数本の梁鉄筋４ で連結し、該梁鉄筋４ の端部４ ａをＲＣコアウォール２ の内部にまで埋め込む構造である。該梁鉄筋４ は、径の太い太径鉄筋を用いており、前記ブラケット３ の上端部近傍、及び下端部近傍でブラケット３ の幅方向に複数本平行に配設されている。
【００２０】
これら、第１の実施の形態における境界梁ダンパー１ は、前記梁鉄筋４ が主筋３ ａの機能を兼ね備えているため、主筋３ ａは配設されておらず、梁鉄筋４の外周に前記あばら筋３ ｂが配設されている。なお、上述するように、すべての主筋３ ａを梁鉄筋４ に置き換えて対向するブラケット３ を連結する構造にこだわることはなく、前記ブラケット３ に主筋３ ａをある一定の間隔で配設した上で、これに平行するとともに該主筋３ ａどうしの間に前記梁鉄筋４ を配設し、該梁鉄筋４ により対向するブラケット３ どうしを連結する構成としても良い。
【００２１】
このような構成により、第１の実施の形態における境界梁ダンパー１ は、地震等が発生した際に、前記ブラケット３ より露出した部分の梁鉄筋４ が曲げ降伏し、エネルギー吸収を図るものである。
【００２２】
上述する構成によれば、第１の実施の形態において、境界梁ダンパー１ の構造は、隣り合うＲＣコアウォール２ に設けられた向かい合うブラケット３ を複数本の梁鉄筋４ で連結するのみであるため、構造が合理的、かつ簡略で施工性が良いとともに、効果的に地震時のエネルギー吸収を図ることが可能となる。
【００２３】
また、前記梁鉄筋４ について、両端部にコブ上の頭部が付いた頭部付き鉄筋を用いることにより、前記ＲＣコアウォール２ への埋め込み長さをより短くしながら定着強度を確保することができ、材料費の低減を図ることが可能となる。
【００２４】
（本発明の第２の実施の形態）
図２ に境界梁ダンパー１ の第２の実施の形態を示す。図２ の境界梁ダンパー１ は、隣り合うＲＣコアウォール２ に設けられたブラケット３ をＨ形鋼６ を用いたＨ形鋼ダンパー５ により連結する構造である。
該Ｈ形鋼ダンパー５ は、前記Ｈ形鋼６ と、該Ｈ形鋼６ をブラケット３ に緊結するための対をなす鋼板７ と、該鋼板７ に固定されるスタッドジベル８ と、より構成される。
【００２５】
前記Ｈ形鋼６ は、上下フランジ６ ａが高張力鋼よりなり、ウェブ６ ｂが上下フランジ６ ａよりも降伏点の低い鋼材である極軟鋼よりなるもので、地震等が生じた際に、このウェブ６ ｂがせん断変形を起こしてエネルギー吸収することにより、ダンパーの機能を果たすものである。なお、第２の実施の形態の境界梁ダンパー１ では、ウェブ６ ｂに極軟鋼を用いたＨ形鋼６ を用いているが、上下フランジ６ ａに高張力を用いていることを考慮すればこれに限ることなく、ウェブ６ ｂに一般鋼を適用しても良い。
【００２６】
該Ｈ形鋼６ の両端部には、前記鋼板７ の一方の面７ ａが溶接等の緊結手段により固定されている。該鋼板７ の他方の面７ ｂにおける中央部付近には、複数のスタッドジベル８ が溶接等の手段により緊結されており、さらに、他方の面７ ｂの上端部及び下端部近傍には、前記ブラケット３ の内部で前記Ｈ形鋼６の上下フランジ６ ａの幅方向に複数本配列された主筋３ ａの端部が、溶接等により固定されている。
【００２７】
これらＨ形鋼ダンパー５ は、前記鋼板７ の他方の面７ ｂと前記ブラケット３ の端面３ ａが面同士で突き合わされるようにして固着されており、他方の面７ ｂに取り付けられたスタッドジベル８ は、ブラケット３ 内に埋設されている。
【００２８】
このような構成により、第２の実施の形態における境界梁ダンパー１ は、地震等が発生した際に、前記Ｈ形鋼６ のウェブ６ ｂのせん断力はスタッドジベル８ によりブラケット３ に伝達され、前記上下フランジ６ ａに発生する引張り力は前記鋼板７ に固着された前記主筋３ ａによりに伝達されることとなる。
【００２９】
上述する構成によれば、第２の実施の形態において、隣り合うＲＣコアウォール２ に設けられた向かい合うブラケット３ をウェブ６ ｂに降伏点の低い鋼材を用いたＨ形鋼６ で連結するのみであるため、構造が合理的、かつ簡略で施工性が良いとともに、効果的に地震時のエネルギー吸収を図ることが可能となる。
【００３０】
（本発明の第３の実施の形態）
図３ に境界梁ダンパー１ の第３の実施の形態を示す。図３ の境界梁ダンパー１ は、隣り合うＲＣコアウォール２ に設けられたブラケット３ を、該ブラケット３ の端面３ ｄおよび側面３ ｅを覆うように設けられるパネルダンパー９ により連結する構造である。
前記パネルダンパー９ は、パネルダンパー本体１０ と、該パネルダンパー本体１０ を前記ブラケット３ に緊結するための対をなす鋼板７ と、前記鋼板７ の両側端部に設けられた対をなす連結板１１ と、より構成されている。
一方、前記ブラケット３ には、該連結板１１ どうしを連結する雌ネジ１２ 及びボルト１３ が設けられている。
【００３１】
前記パネルダンパー本体１０ は、極降伏点鋼よりなる制震装置である。該パネルダンパー本体１０ の両側端部には、前記鋼板７ の一方の面７ ａが溶接等により固着されている。また、該鋼板７ における他方の面７ の両側部には、前記パネルダンパー本体１０ と平行となる方向に面を向けて、連結板１１ が溶接等により固定されている。該連結板１１ には、格子状に複数の孔１１ ａが設けられて、該孔１１ ａを貫通するボルト１３ を介して、向かい合う連結板１１ は各々前記ブラケット３ の側面３ ｅに設けられた雌ネジ１２ に緊結されることにより、前記ブラケット３ に固定される。
【００３２】
このような前記ブラケット３ の側面３ ｅに設けられた前記雌ネジ１２ は、前記ブラケットの幅方向で、連結板１１ に設けられた格子状の複数の孔１１ ａに嵌合するような位置に複数本があらかじめ埋め込まれている。該雌ネジ１２ の部材長は、前記ブラケット３ の幅と略同一に設けられており、雌ネジ１２ の両端部は両端面３ ｅと略同一面に位置している。
【００３３】
前記パネルダンパー９ をブラケット３ に取り付ける際には、前記鋼板７ における他方の面７ がブラケット３ の端面３ ｄと面同士で接するとともに、向かい合う連結板１１ の向かい合う面が、各々ブラケット３ の側面３ ｅに面同士で接する状態で、前記雌ネジ１２ と連結板１１ の孔１１ ａの位置が合うように、パネルダンパー９ をブラケット３ に配置し、前記雌ネジ１２ にボルト１３ を嵌合させて固定する。
【００３４】
なお、本発明では、前記ブラケット３ の幅と略同一の部材長を有する雌ネジ１２ を用いているが、これにこだわるものではなく、部材長の短い雌ネジを前記ブラケット３ の両側面３ ｅに各々埋め込んでも良い。また、雌ネジ１２ の代わりに前記ブラケット３ の両側面３ ｅに図示しない雄ネジを埋め込み、ナットを用いて固定しても良い。
【００３５】
このような構成により、第３の実施の形態における境界梁ダンパー１ は、地震等が発生した際に、前記パネルダンパー９ に発生する曲げモーメント及びせん断力は前記ボルト１２ を介して前記ブラケット３ に伝達される。
【００３６】
また、前記パネルダンパー９ が損傷した際には、前記ボルト１３ をはずし、前記ブラケット３ をからパネルダンパー９ ごとを取り外し、新たなパネルダンパー９ を同様の手段により据え付ければよい。
【００３７】
上述する構成によれば、第３の実施の形態において、隣り合うＲＣコアウォール２ に設けられた向かい合うブラケット３ を前記パネルダンパー９ により連結する構造であり、その取り付けは前記ブラケット３ の幅方向に設けられた雌ネジ１２ へのボルト１３ 締めで行われるため取りはずしが容易で、パネルダンパー９ が損傷した際にも容易に交換作業を行うことが可能となる。
【００３８】
（本発明の第４の実施の形態）
図４ に境界梁ダンパー１ の第４の実施の形態を示す。図４ の境界梁ダンパー１ は、隣り合うＲＣコアウォール２ に設けられたブラケット３ を複数の短鉄筋１４ により連結する構造である。
前記短鉄筋１４ は、断面径の太い太径鉄筋を用いており、前記ブラケット３ の幅方向及び高さ方向に格子を形成するように、ブラケット３ の端面３ ｄどうしを連結するように複数本配設されている（図４ （ｂ）参照）。このとき、前記ブラケット３ は、第１から第３の実施の形態に比べてその部材長を長く設定し、前記短鉄筋１４ が露出する長さＴを極力短くしている。
【００３９】
このような構成により、第４の実施の形態における境界梁ダンパー１ は、地震等が発生した際に、前記ブラケット３ 同士を連結する短鉄筋１４ がせん断降伏することによりエネルギー吸収を図るものである。
【００４０】
上述する構成によれば、第４の実施の形態において、隣り合うＲＣコアウォール２ に設けられた向かい合うブラケット３ を短鉄筋で連結するのみであるため、構造が合理的、かつ簡略で施工性が良いとともに、部材にかかる費用が押さえられるため、コストを削減することが可能となる。
【００４１】
（本発明の第５の実施の形態）
図５ に境界梁ダンパー１ の第４の実施の形態を示す。図５ の境界梁ダンパー１ は、隣り合うＲＣコアウォール２ に設けられたブラケット３ を鋼管コンクリートダンパー１５ により連結する構造である。
該鋼管コンクリートダンパー１５ は、隣り合う前記ブラケット３ 同士を連結する方向に中心軸Ａを向けた鋼管１６ と、該鋼管１６ の内部に配設される鋼管内鉄筋１７ と、前記鋼管１６ 内の中空部を埋設するコンクリート１８ と、より構成されている
【００４２】
前記鋼管１６ は、一般に用いられている普通鋼材よりなるもので、前記ブラケット３ の端面３ ｄの面積内に収まる程度の外径を有している。該鋼管１６ の内側には、内周面に沿うように複数本の前記鋼管内鉄筋１７ が均等な間隔を保持して配設されている。該鋼管内鉄筋１７ は、普通鋼材による棒鋼で、その長さは前記鋼管１６ よりも長く、鋼管１６ の両端部より同じ長さ分が突出するように配設されている。該鋼管内鉄筋１７ は、前記鋼管１６ の内空部を充填する前記コンクリート１８ により固着されている。
【００４３】
このような鋼管コンクリートダンパー１５ は、前記鋼管１６ の上端部及び下端部を対をなす前記ブラケット３ の端面３ ｄに各々面同士で接合するようにして固定されており、鋼管１６ の両端部より突出した前記鋼管内鉄筋１７ の両端部は、前記ブラケット３ の内部に収められている。
【００４４】
このような構成により、第５の実施の形態における境界梁ダンパー１ は、地震等が発生した際に、前記鋼管コンクリートダンパー１５ における鋼管１６ の効果によりせん断破壊を防止し、前記鋼管内鉄筋１７ が曲げ降伏することにより、エネルギー吸収を図るものである。
【００４５】
上述する構成によれば、第５の実施の形態において、隣り合うＲＣコアウォール２ に設けられた向かい合うブラケット３ を鋼管コンクリートダンパー１５ で連結するのみであるため、構造が合理的、かつ簡略で施工性が良いとともに、効果的に地震時のエネルギー吸収を図ることが可能となる。
【００４６】
（本発明の第６の実施の形態）
図６ に境界梁ダンパー１ の第６の実施の形態を示す。図６ の境界梁ダンパー１ は、隣り合うＲＣコアウォール２ に設けられたブラケット３ を捻りダンパー１９ により連結する構造である。
該捻りダンパー１９ は、向かい合うように平行に配置された一方の鋼板２０ と、他方の鋼板２１ と、前記一方の鋼板２０ に固定される固定プレート２２ と、該固定プレート２２ を介して一方の鋼板２０ に固定される円筒管２３ と、一方の端部が円筒管２３ の端部に固定された対をなす捻りプレート２４ と、該対をなす捻りプレート２４ を連結する鋼棒２５ と、該鋼棒２５ を前記他方の鋼板７ に係止する係止部材２６ と、より構成される。
【００４７】
前記一方の鋼板２０ は、他方の面２０ ｂがブラケット３ の端面３ ｄに固着されて、一方の面２０ ａには、前記固定プレート２２ の一方の端部が固定されてお互いの面同士が垂直を形成している。このとき、固定プレート２２ は、鉛直軸と直交する方向に面を向けている。該固定プレート２２ の他方の端部近傍には、前記円筒管２３ の外径と同様の大きさの孔２２ ａが設けられ、該孔２２ａに円筒管２３ がその外周面中央部まで嵌合されて溶接等により固着されている。
【００４８】
該円筒管２３ は、中空鋼管であり伸び性能が良好な極軟鋼が使用されている。なお、用いる鋼材は、これに限ることなく他の鋼材を用いても良い。該円筒管２３ の両端部には、各々前記捻りプレート２４ の一方の端部２４ ａ近傍の面が固着されており、該捻りプレート２４ の他方の端部２４ ｂは、前記他方の鋼板２１ に向けて延びている。
【００４９】
一方、前記他方の鋼板２１ は、他方の面２１ ｂがブラケット３ の端面３ ｄに固着されて、一方の面２１ ａには、他方の鋼板２１ に向けて延びている対をなす前記捻りプレート２４ の他方の端部２４ ｂの間に挟まれる位置に、前記鋼棒２５ を係止する係止部材２６ が固定されている。該係止部材２６ には、前記捻りプレート２４ の面と直交する方向に、前記鋼棒２５ の外径と同じ幅を有する溝２６ ａが設けられて、該溝２６ ａに鋼棒２５ がはめ込まれて、回転、及び溝の深さ方向の移動が自在な状態に配置されている。
【００５０】
該鋼棒２５ の両端部は、前記捻りプレート２４ の他方の端部２４ ｂ近傍の面に各々固定されている。つまり、前記捻りプレート２４ は、一方の端部２４ ａは前記固定プレート２２ により一方の鋼板２０ に固定された円筒管２３ により固定されているが、他方の端部２４ ｂは前記鋼棒２５ が移動できる方向に同じく移動自在となっている。
【００５１】
このような捻りダンパー１９ は、前記一方の鋼板２０ と他方の鋼板２１ に図示しない複数の孔が設けられて、前記ブラケット３ の端面３ ｄに設けられた雌ネジ１２ に前記孔を嵌合させてボルト１３ により緊結することで固定される。また、前記他方の鋼板２１ が設けられる側のブラケット３ は、前記一方の鋼板２０ が設けられる側のブラケット３ に比べて雌ネジ１２ の数量が多く、ブラケット３ への固着強度をより強化する構成となっている。
【００５２】
このような構成により、第６の実施の形態における境界梁ダンパー１ は、地震が発生した際に、前記一方の鋼板２０ が他方の鋼板２１ に対して相対的に変位することにより、その変位量が前記鋼棒２５ と一体となった捻りプレート２４ の他方の端部２４ ｂに回転運動として伝えられる。次に、この運動が該捻りプレート２４ の一方の端部２４ ａに固定された前記円筒管２３ に捻りモーメントを加えることにより、該円筒管２３ がせん断降伏を有する捻り変形により塑性化して、変形エネルギー吸収を図るものである。
【００５３】
上述する構成によれば、第６の実施の形態において、隣り合うＲＣコアウォール２ に設けられた向かい合うブラケット３ を捻りダンパー１９ で連結するのみであるため、従来の鋼材ダンパーを適用した場合に比べて、前記ブラケット３の断面を小さくできるとともに低コストで作成することができる。また、捻りダンパー１９ の取り付けは、あらかじめ前記ブラケット３ に埋め込まれた雌ネジ１２ に対してボルト１３ の緊結によりブラケット３ に固定できるため取りはずしが容易で、捻りダンパー１９ が損傷した際にも容易に交換作業を行うことが可能となる。
【００５４】
（本発明の第７の実施の形態）
図７ に境界梁ダンパー１ の第７の実施の形態を示す。図７ の境界梁ダンパー１ は、隣り合うＲＣコアウォール２ に設けられたブラケット３ をコイルバネダンパー２７ により連結する構造である。
該コイルバネダンパー２７ は、対をなす鋼板７ の一方の面７ ａに一方の端部３０ ａを固定され、該鋼板７ に対して直角で、ある一定の間隔を設けて平行に配置された対をなす側部プレート３０ と、該側部プレート３０ の他方の端部３０ ｂにコイルバネ２８ を介して挟まれるように配置された連結プレート２９と、より構成されている。
【００５５】
前記コイルバネ２８ は、従来より免震装置として適用されているもので、本発明では前記連結プレート２９ の両側面で、各々表裏面の同軸となる位置に一方の端部が固定されている。該コイルバネ２８ の他方の端部は、前記鋼板に固定された対をなす側部プレート３０ の向かい合う面にそれぞれ固定される。つまり、前記連結プレート２９ はその端部を前記コイルバネ２８ を介して側部プレート３０ に連結されている。なお、前記対をなす鋼板７ には、図示しない複数の孔が設けられている。
【００５６】
このようなコイルバネダンパー２７ は、前記対をなす鋼板７ の他方の面７ ｂに前記ブラケット３ の端面３ ｄが面同士で突き合わされ、前記対をなす鋼板７ の図示しない複数の孔が、前記ブラケット３ の端面３ ｄに設けられた雌ネジ１２ に位置を合わされてボルト１３ により緊結することで固定される。
【００５７】
このような構成により、第７の実施の形態における境界梁ダンパー１ は、地震が発生した際に、前記対をなす鋼板７ が相対的に変位することにより、前記コイルバネ２８ が変形してエネルギー吸収を図るものである。
【００５８】
上述する構成によれば、第７の実施の形態において、隣り合うＲＣコアウォール２ に設けられた向かい合うブラケット３ をコイルバネダンパー２７ で連結するのみであるため、構造が合理的、かつ簡略で施工性が良いとともに、効果的に地震時のエネルギー吸収を図ることが可能となる。また、部材にかかる費用が押さえられるため、コストを削減することが可能となる。さらに、コイルバネダンパー２７ の取り付けは、あらかじめ前記ブラケット３ に埋め込まれた雌ネジ１２ に対してボルト１３ の緊結によりブラケット３ に固定できるため取りはずしが容易で、コイルバネダンパー２７ が損傷した際にも容易に交換作業を行うことが可能となる。
【００５９】
【発明の効果】
請求項１記載の境界梁ダンパーによれば、隣り合う鉛直部材間に架け渡される制震ダンパーを組み込んだ短スパンの境界梁ダンパーであって、隣り合う前記鉛直部材の側部には互いに対向するように鉄筋コンクリートより構成されるブラケットが配置され、該ブラケットの上部及び下部で前記鉛直部材に直交する方向に各々配置され、ブラケットの主筋をなす複数の梁鉄筋が、隣り合う前記鉛直部材間のスパンより部材長が長く、対をなす前記ブラケットどうしを連結するように配設されて、その両端部が前記鉛直部材内に埋設されることから、構造が合理的、かつ簡略で施工性が良いとともに、効果的に地震時のエネルギー吸収を図ることが可能となる。
【００６０】
請求項２記載の境界梁ダンパーによれば、前記梁鉄筋には頭部付き鉄筋が用いられることから、前記ＲＣコアウォールへの埋め込み長さをより短くしながら定着強度を確保することができ、材料費の低減を図ることが可能となる。
【００６１】
請求項３記載の境界梁ダンパーによれば、隣り合う鉛直部材間に架け渡される制震ダンパーを組み込んだ短スパンの境界梁ダンパーであって、隣り合う前記鉛直部材の側部には、互いに対向するように鉄筋コンクリートより構成されるブラケットが配置され、該ブラケットの主筋がブラケットの上部及び下部に配されるとともに、該主筋の鉛直部材側の端部が鉛直部材内に埋設されて、ブラケットの向かい合う端面にはブラケットどうしを連結するように制震ダンパーが設けられて、該制震ダンパーは、上下フランジよりも降伏点の低い鋼材をウェブに用いたＨ形鋼と、該Ｈ形鋼の両側端部に一方の面を接合された対をなす鋼板と、該対をなす鋼板の他方の面の中央部に複数固定されたスタッドジベルと、より構成され、前記ブラケットの端面に前記鋼板の他方の面が面同士で接合されるとともに、前記ブラケットの主筋の一方の端部が鋼板の他方の面に固着されて、前記主筋の他方の端部が、前記鉛直部材内に達していることから、構造が合理的、かつ簡略で施工性が良いとともに、効果的に地震時のエネルギー吸収を図ることが可能となる。
【００６２】
請求項４記載の境界梁ダンパーによれば、前記制震ダンパーには、前記Ｈ形鋼、前記スタッドジベルに代わって、複数の短鉄筋が用いられ、該短鉄筋は、対向する前記ブラケット同士を連結するように複数本が平行に配列されて、その端部がブラケット内に埋設されることから、構造が合理的、かつ簡略で施工性が良いとともに、効果的に地震時のエネルギー吸収を図ることが可能となる。また、部材にかかる費用が押さえられるため、コストを削減することが可能となる。
【００６３】
請求項５記載の境界梁ダンパーは、前記制震ダンパーには、前記Ｈ形鋼、前記スタッドジベルに代わって、軟鋼よりなる鋼板パネルと、該鋼板パネルの両側端部に一方の面を接合された対をなす鋼板と、該鋼板の他方の面の端部で前記鋼板パネルと平行な面を形成するように設けられた対をなす連結板と、より構成されるパネルダンパーが用いられ、該パネルダンパーの対をなす連結板が、前記ブラケットの両側面を挟み込むように配置されて、該連結板及び前記ブラケットの両側面を貫通するボルトにより緊結されることから、取りはずしが容易で、パネルダンパーが損傷した際にも容易に交換作業を行うことが可能となる。
【００６４】
請求項６記載の境界梁ダンパーによれば、前記制震ダンパーには、前記Ｈ形鋼、前記鋼板及び前記スタッドジベルに代わって、隣り合う鉛直部材同士を連結する方向に中心軸を向けた鋼管と、該鋼管の内周面に沿うように複数配置されてその両端部が鋼管より突出する鋼管内鉄筋と、前記鋼管の中空部を埋設するコンクリートと、より構成される鋼管コンクリートダンパーが用いられ、前記鋼管内鉄筋の端部が前記ブラケット内に埋め込まれるとともに、前記鋼管の両端部が、各々前記ブラケットの端面に面同士で接合されることから、構造が合理的、かつ簡略で施工性が良いとともに、効果的に地震時のエネルギー吸収を図ることが可能となる。
【００６５】
請求項７記載の境界梁ダンパーによれば、前記制震ダンパーには、前記Ｈ形鋼、前記スタッドジベルに代わって、向かい合うように平行に配置された一方の鋼板、及び他方の鋼板と、該一方の鋼板の一方の面に対して面が直交するように固定された固定プレートと、該固定プレートを介して略中央部を一方の鋼板に固定される円筒管と、該円筒管の端部を各々覆うように一方の端部近傍の面が固定された対をなす捻りプレートと、該対をなす捻りプレートの他方の端部近傍同士を連結する鋼棒と、該鋼棒を前記他方の鋼板の一方の面に係止する係止部材と、より構成される捻りダンパーが用いられ、該捩りダンパーを構成する一方の鋼板及び他方の鋼板の各々の他方の面が、前記ブラケットの端面に面同士で接合されるとともに、一方の鋼板及び他方の鋼板の各々の他方の面には該複数の鉄筋がその端部を固定され、該鉄筋が、前記ブラケット内に埋め込まれていることから、従来の鋼材ダンパーを適用した場合に比べて、前記ブラケットの断面を小さくできるとともに低コストで作成することができる。また、捻りダンパーの取り付けは、あらかじめ前記ブラケットに埋め込まれた雌ネジに対してボルトの緊結によりブラケットに固定できるため取りはずしが容易で、捻りダンパーが損傷した際にも容易に交換作業を行うことが可能となる。
【００６６】
請求項８記載の境界梁ダンパーは、前記制震ダンパーには、前記Ｈ形鋼、前記スタッドジベルに代わって、前記ブラケットの端面に他方の面を固定された対をなす鋼板と、該鋼板に一定の間隔をあけて平行となるように一方の端部を固定されて、面を鉛直軸に直交する方向に向けた対をなす側部プレートと、該対をなす側部プレート間に両側端部が各々挟まれるように配置された連結プレートと、該連結プレートと前記側部プレートを連結する複数のコイルバネと、より構成されるコイルバネダンパーが用いられ、該コイルバネダンパーを構成する対をなす鋼板の他方の面には、複数の鉄筋がその端部を固定されるとともに、該鉄筋が、前記ブラケット内に埋め込まれていることから、構造が合理的、かつ簡略で施工性が良いとともに、効果的に地震時のエネルギー吸収を図ることが可能となる。また、部材にかかる費用が押さえられるため、コストを削減することが可能となる。また、コイルバネダンパーの取り付けは、あらかじめ前記ブラケットに埋め込まれた雌ネジに対してボルトの緊結によりブラケットに固定できるため取りはずしが容易で、コイルバネダンパーが損傷した際にも容易に交換作業を行うことが可能となる。
【００６７】
請求項９記載の境界梁ダンパーは、前記ブラケットの主筋には、頭部付き鉄筋が用いられることから、前記鉛直部材、及びブラケットへの埋め込み長さをより短くしながら定着強度を確保することができ、材料費の低減を図ることが可能となる。
【図面の簡単な説明】
【図１】  本発明に係る境界梁ダンパーの梁鉄筋を用いた第５の実施の形態を示す図である。
【図２】  本発明に係る境界梁ダンパーの鋼板パネルダンパーを用いた第１の実施の形態を示す図である。
【図３】  本発明に係る境界梁ダンパーの鋼板パネルダンパーを用いた第２の実施の形態を示す図である。
【図４】  本発明に係る境界梁ダンパーの短鉄筋を用いた第３の実施の形態を示す図である。
【図５】  本発明に係る境界梁ダンパーの鋼管コンクリートダンパー用いたを第４の実施の形態を示す図である。
【図６】  本発明に係る境界梁ダンパーの捩りダンパーを用いた第６の実施の形態を示す図である。
【図７】  本発明に係る境界梁ダンパーのコイルバネダンパーを用いた第７の実施の形態を示す図である。
【符号の説明】
１   境界梁ダンパー
２   ＲＣコアウォール
３   ブラケット
３ ａ  主筋
３ ｂ  あばら筋
３ ｃ  コンクリート
３ ｄ  端面
３ ｅ  側面
４   梁鉄筋
４ ａ  端部
５   Ｈ形鋼ダンパー
６   Ｈ形鋼
６ ａ  フランジ
６ ｂ  ウェブ
７   鋼板
７ ａ  一方の面
７ ｂ  他方の面
８   スタッドジベル
９   パネルダンパー
１０   パネルダンパー本体
１１   連結板
１２   雌ネジ
１３   ボルト
１４   短鉄筋
１５   鋼管コンクリートダンパー
１６   鋼管
１７   鋼管内鉄筋
１８   コンクリート
１９   捻りダンパー
２０   一方の鋼板
２０ ａ  一方の面
２０ ｂ  他方の面
２１   他方の鋼板
２１ ａ  一方の面
２１ ｂ  他方の面
２２   固定プレート
２２ ａ  孔
２３   円筒管
２４   捻りプレート
２４ ａ  一方の端部
２４ ｂ  他方の端部
２５   鋼棒
２６   係止部材
２６ ａ  溝
２７   コイルバネダンパー
２８   コイルバネ
２９   連結プレート
３０   側部プレート
３０ ａ  一方の端部
３０ ｂ  他方の端部
【図１】
0004565309.tif 000002
【図２】
0004565309.tif 000003
【図３】
0004565309.tif 000004
【図４】
0004565309.tif 000005
【図５】
0004565309.tif 000006
【図６】
0004565309.tif 000007
【図７】
0004565309.tif 000008